(57)【要約】【課題】通路開放状態では、確実に所定の開口径が得られて、大型の処置具を挿通でき、通路を閉鎖する際には、確実に密閉させるようにする。【解決手段】処置具導入部２２の口金２５に鉗子栓３０が装着されており、この鉗子栓３０は口金２５に固定したリング状楔３３と、拡縮筒３１及びコイル３２とからなり、拡縮筒３１の外周面には膨出部３１ｃが形成され、拡縮筒３１とリング状楔３３とは摺動可能となっており、拡縮筒３１を拡径させると、コイル３２の内部に処置具通路３５が形成され、リング状楔３３が拡縮筒３１の膨出部３１ｃと当接させて、この拡縮筒３１を縮径させると、その弾性シース３２ｂが部分的にオーバーラップして、上下のピッチ間隔がなくなり、弾性体３２ｂが上下から圧縮されて、内向きに突出することになる結果、コイル３２の内部に形成されていた処置具通路３５が閉鎖される。【選択図】図３
2009183389.tif 000002
【特許請求の範囲】
【請求項１】
内視鏡の本体操作部に設けられ、一端が外部に開放され、他端が処置具挿通チャンネルに接続した通路を外部に開放させた処置具導入部に装着され、この通路を閉鎖状態と開放状態とに切り換えるための鉗子栓において、
弾性部材からなり、前記処置具導入部に挿入される処置具通路が形成されて、外周面に半径方向の膨出部を有する拡縮部材と、
前記拡縮部材の内部に装着された弾性材からなるコイルと、
前記拡縮部材の外周側に配設され、前記拡縮部材との間で相対移動可能な硬質リングから構成した作動リングとを備え、
前記作動リングを前記膨出部の外面に当接させると、前記拡縮部材の前記処置具通路及び前記コイルが縮径されて、このコイルが連続して部分的にオーバーラップすることにより前記処置具通路を密閉し、前記作動リングを前記膨出部から離間させると、前記コイルが拡径して、前記処置具通路を形成するように
構成したことを特徴とする内視鏡の鉗子栓。
【請求項２】
前記拡縮部材は円筒形状の部材から構成し、前記処置具導入部の軸線方向に移動可能となし、前記作動リングはこの処置具導入部に固定的に保持する構成としたことを特徴とする請求項１記載の内視鏡の鉗子栓。
【請求項３】
前記拡縮部材は内周面が円筒形状となり、外周面の前記膨出部には厚みが連続的に変化するテーパ面からなる移行部が連設され、この移行部から所定の長さの小径部を有するものとなし、また前記作動リングは、前記拡縮部材の前記小径部の外径より大きい内径を有する円筒形状部に、前記テーパ面部の傾斜角と一致するように拡開するテーパ面部とから構成され、この作動リングは、その円筒形状部が前記拡縮部材の前記膨出部の外周部当接する位置に配置することによって、この膨出部の内径を縮径させる構成としたことを特徴とする請求項１記載の内視鏡の鉗子栓。
【請求項４】
前記コイルは、ばね性金属線材の外周部に柔軟性を有する弾性シースを設けたもので構成され、このコイルは前記拡縮部材の前記処置具通路の入口側に固定して設ける構成としたことを特徴とする請求項１記載の内視鏡の鉗子栓。
【発明の詳細な説明】
【技術分野】
【０００１】
本発明は、内視鏡の本体操作部に設けた処置具導入部に装着されて、この処置具導入部を開閉させる鉗子栓に関するものである。
【背景技術】
【０００２】
内視鏡には処置具挿通チャンネルが設けられており、この処置具挿通チャンネル内に鉗子その他の処置具を挿通させることによって、細胞採取，組織の切開，止血等の処置を行うことができる構成となっている。このために、処置具挿通チャンネルは、挿入部の先端に開口させた処置具導出口を有し、この処置具導出口に可撓性を有する処置具挿通チューブが接続して設けられる。処置具挿通チューブは本体操作部の内部にまで延在されており、この本体操作部に設けた処置具導入部に他端が接続されている。処置具挿通チャンネルには処置具が挿通される他、体内からの吸引を行う吸引通路としても使用される。従って、本体操作部において、処置具導入部の前方位置に分岐部が設けられ、処置具挿通チューブは、この分岐部で処置具導入部に通じる通路と、吸引通路とに分岐している。
【０００３】
吸引通路は本体操作部からユニバーサルコード内に延在されており、このユニバーサルコードに設けられ、光源装置等に着脱可能に接続されるコネクタの位置で、吸引源装置に接続した負圧配管が着脱可能に接続されている。また、本体操作部には吸引バルブが設けられており、吸引通路はこの吸引バルブに接続されている。従って、本体操作部を把持する手の指で吸引バルブを操作することによって、吸引操作が行われる。
【０００４】
処置具導入部は、処置具が導入されるので、大気に開放されている。処置具挿通チャンネルを吸引通路として機能させるために、処置具導入部には栓部材が装着されて、大気と連通・遮断できるようにしている。ただし、処置具を導入させる度毎に栓部材を着脱するのではなく、この栓部材を装着したままで通路を開閉できるようにする。このように、通路の開閉が可能な栓部材の代表的なものとしては、特許文献１に示されているように、栓部材を弾性部材で形成して、処置具挿入部を覆う天蓋部にスリットを形成する構成としたものが広く用いられている。このスリットの両側の壁面を相互に密着可能となし、処置具を挿通しないときには、スリットを構成する両側の壁面が密着して通路を閉鎖する。一方、処置具を挿通する際には、このスリットを左右に押し開くことにより栓部材を通過させることができるようになる。
【０００５】
また、他のタイプの鉗子栓としては、処置具導入部の先端側に拡径する段差部を設けて、この段差部に処置具を挿通できる内径を有する弾性リングを装着し、この弾性リングを押動部材によって上下から押し潰すことによって、通路を閉鎖するように構成したものが特許文献２に示されている。
【特許文献１】特開２００５−１９８８３４号公報
【特許文献２】実開昭５５−７０１０８号公報
【発明の開示】
【発明が解決しようとする課題】
【０００６】
前述した特許文献１に示されている鉗子栓は、全く処置具を挿通させないときには、完全な密閉性が保たれているが、一度処置具を挿通させると、スリットの部位に広がり癖が付くおそれがあり、特に長い時間にわたって処置具を挿通させた状態に保持したり、繰り返し処置具を挿脱したりすると、スリットの密閉性が低下して、その後に吸引を行う際には、スリットの部位から吸引された体液等が漏出するおそれがあり、また不完全な密閉により、吸引時にこのスリットから外気が吸い込まれて、吸引力が低下するという問題が生じることになる。しかも、スリットの長さは制約されることから、挿通可能な処置具の外径が制限を受けるという問題点もある。
【０００７】
一方、特許文献２のように、弾性リングを上下から押し潰しただけでは、この弾性リングの内径部分を完全に閉鎖するのは極めて困難であり、やはり密閉不良が生じることになる。また、密閉性を向上させるには、弾性リングの内径を小さくする必要があり、そうすると挿通可能な処置具の外径が制約されることになる。
【０００８】
本発明は以上の点に鑑みてなされたものであって、その目的とするところは、通路開放状態では、確実に所定の開口径が得られて、大型の処置具を挿通でき、通路を閉鎖する際には、確実に密閉させることができる鉗子栓を提供することにある。
【課題を解決するための手段】
【０００９】
前述した目的を達成するために、本発明は、内視鏡の本体操作部に設けられ、一端が外部に開放され、他端が処置具挿通チャンネルに接続した通路を外部に開放させた処置具導入部に装着され、この通路を閉鎖状態と開放状態とに切り換えるための鉗子栓であって、弾性部材からなり、前記処置具導入部に挿入される処置具通路が形成されて、外周面に半径方向の膨出部を有する拡縮部材と、前記拡縮部材の内部に装着された弾性材からなるコイルと、前記拡縮部材の外周側に配設され、前記拡縮部材との間で相対移動可能な硬質リングから構成した作動リングとを備え、前記作動リングを前記膨出部の外面に当接させると、前記拡縮部材の前記処置具通路及び前記コイルが縮径されて、このコイルが連続して部分的にオーバーラップすることにより前記処置具通路を密閉し、前記作動リングを前記膨出部から離間させると、前記コイルが拡径して、前記処置具通路を形成するように構成したことをその特徴とするものである。
【００１０】
処置具導入部の内部には、外周側から作動リング、拡縮部材及びコイルの順に装着される。作動リングは硬質部材からなり、拡縮部材及びコイルはゴム等からなるエラストマで形成した弾性部材から構成される。特に、拡縮部材は高い伸縮性を有するものから構成するのが望ましい。そして、拡縮部材または作動リングの一方が他方に対して摺動可能な構成、つまり一方が他方に対して摺動しながら相対移動するように構成されている。拡縮部材は概略円筒形状とするか、または一端側から途中位置まで複数個所において、軸線方向に向けたすり割りを設けるようにしても良い。すり割りを設ける場合には、拡縮部材が縮径されたときに、このすり割りの部位における壁面が密着するようにすり割りの幅を設定する。
【００１１】
拡縮部材の外周面に設けられる膨出部は、その内部に設けたコイルを圧縮する領域を形成するためのものであり、縮径させたときに、コイルが部分的にオーバーラップするのに必要な軸線方向の長さを持たせる。この膨出部には厚みが連続的に変化するテーパ面を有する移行部を連設し、さらにこの移行部から所定の長さ分は小径部とするのが望ましい。このように、移行部を設けるのは、拡縮部材と作動リングとの一方が移動する際に、作動リングを膨出部と当接する位置に円滑に移行させるためである。また、作動リングは軸線方向において円筒形状部とテーパ面部とを有する構成とすることができる。ただし、拡縮部材または作動リングのいずれか一方がテーパ面を有するものであれば、他方側にはテーパ面を設けなくても良い。いずれにしろ、作動リングは拡縮部材と処置具導入部の内壁との間に挿入されて、拡縮部材を縮径させるための円環状の楔部材として機能するものである。
【００１２】
コイルは弾性部材から構成され、その直径はある程度の大きさを持たせている。拡縮部材が縮径されると、コイルは絞り込まれるように変形する。その結果、内径が小さくなって、前後のピッチ部分の一部がオーバーラップすることになる結果、拡縮部材の内部が密閉される。ここで、コイルが縮径されると、軸線方向に伸長するように変形する。コイルは拡縮部材に固定するが、この軸線方向の動きを許容するために、固定は一端側のみとする。具体的には、処置具導入部における処置具が挿入される入口側に固定するようになし、他端は非固定状態とする。縮径したコイルは、拡縮部材が拡径されたときに、これに伴ってコイルも拡径するように変形して、内部に通路を形成させる。このために、コイルは弾性復元力を有するものとする必要があり、全体をゴム等の弾性部材で形成することもできるが、芯材として、ばね性を有する金属線材で構成し、このばね性金属線材を柔軟性のある部材からなる弾性シースで覆うようにすることができる。
【発明の効果】
【００１３】
通路を開放した状態では、確実に所定の開口径が得られて、大型の処置具を挿通でき、通路を閉鎖すると、確実に密閉させることができ、処置具挿通チャンネルを吸引通路として機能させる際には、逆流防止機能を発揮するのはもとより、処置具導出口に高い吸引力を発揮させることができる。
【発明を実施するための最良の形態】
【００１４】
以下、図面に基づいて本発明の実施の形態について説明する。まず、図１に内視鏡の全体構成を示す。１は内視鏡であって、内視鏡１は、本体操作部２、挿入部３及びユニバーサルコード４から大略構成される。挿入部３は、本体操作部２への連結部から大半の長さ部分が軟性部３ａで、この軟性部３ａには湾曲部３ｂが、湾曲部３ｂには先端硬質部３ｃが連結されている。先端硬質部３ｃには、図２に示したように、照明窓１０，１０と、両照明窓１０，１０間の観察窓１１とが設けられており、また鉗子等の処置具を導出するための処置具導出口１２が開口している。さらに、図中において、１３は観察窓１１が汚損されたときに、この汚れを除去するための洗浄用流体を噴射するための洗浄ノズルである。
【００１５】
図３から明らかなように、先端が処置具導出口１２に接続されている処置具挿通チャンネル２０は本体操作部２内にまで延在されており、この処置具挿通チャンネル２０は通路分岐部材２１に接続されている。この通路分岐部材２１には、本体操作部２のケーシング２ａに設けた処置具導入部２２に向けて延在した処置具導入路２３が接続され、また吸引通路２４が接続されている。処置具導入部２２には口金２５が装着されており、この口金２５の端部は処置具導入路２３に連結して設けられており、この口金２５から処置具導入路２３を通り、通路分岐部材２１は処置具導入路２３に螺挿されている。従って、口金２５内に処置具を挿入すると、この処置具は処置具導入路２３から通路分岐部材２１を通り、処置具挿通チャンネル２０内に導かれて、挿入部３の先端硬質部３ｃに設けた処置具導出口１２から導出させることになる。
【００１６】
一方、吸引通路２４は、本体操作部２からユニバーサルコード４内に延在されており、このユニバーサルコード４のコネクタ部（図示せず）に設けた接続口として開口しており、この接続口に吸引源からの配管が着脱可能に接続される。そして、本体操作部２の内部であって、吸引通路２４の途中位置には吸引バルブ１４が装着されている。この吸引バルブ１４は本体操作部２を把持する手の指で操作可能なものであって、常時においては、吸引通路２４の処置具挿通チャンネル２０への連結側を吸引源側から遮断した状態に保持されて、吸引源側は大気と連通させている。そして、吸引バルブ１４を押し込むと、吸引通路２４における吸引源側が処置具挿通チャンネル２０側と連通して、処置具導出口１２に負圧吸引力が作用することになる。
【００１７】
ここで、体腔内は大気圧より高い圧力状態となっているから、体内から処置具挿通チャンネル２０内に体液等が逆流しないように保持し、また吸引バルブ１４を操作したときには、処置具導出口１２に確実に負圧吸引力を作用させ、かつ処置具挿通チャンネル２０を流れる吸引物が処置具導入部２２側に逆流するのを防止するために、処置具導入部２２に装着した口金２５には鉗子栓３０が設けられている。ここで、口金２５は、処置具導入路２３への連結側は、この処置具導入路２３とほぼ同じ内径となった細径部２５ａで、途中から連続的に拡径する拡径部２５ｂとなり、大気への開口側における所定の長さ分は大径部２５ｃとなっており、鉗子栓３０はこの大径部２５ｃから拡径部２５ｂの途中までの位置に挿入されている。
【００１８】
図４及び図５からも明らかなように、鉗子栓３０は、拡縮部材としての拡縮筒３１とコイル３２とを備え、口金２５には拡縮筒３１を拡縮駆動するための作動リングとして、リング状楔３３が設けられている。拡縮筒３１は伸縮性を有するゴムその他のエラストマから構成され、内周面は概略円筒形状となった概略円筒状の部材である。拡縮筒３１の外周面は一端側、つまり外部に突出する側が小径部３１ａで、この小径部３１ａの途中位置からはテーパ状に拡径する移行部３１ｂが連設されており、最大径となった部位から所定の長さ分は最大径となった均等な外径の膨出部３１ｃを構成している。さらに、この膨出部３１ｃより他端側は、口金２５の拡径部２５ｂに倣うテーパ面３１ｄとなっている。
【００１９】
拡縮筒３１とリング状楔３３とは、軸線方向に向けて相対移動可能となっており、本実施の形態においては、拡縮筒３１が移動可能に構成している。この拡縮筒３１を手動操作で移動させるために、その小径部３１ａには操作つまみ３４が形成されている。一方、リング状楔３３は口金２５に圧入等により固定して設けられており、口金２５の内面とリング状楔３３の外面との間は気密状態に保持されている。そして、リング状楔３３の内周面は所定の長さ分が円筒形状部３３ａとなっており、口金２５への挿入側の端部近傍の部位は拡縮筒３１の移行部３１ｂのテーパ面とほぼ一致するように拡開するテーパ面部３３ｂが形成されている。
【００２０】
コイル３２は弾性部材から構成される。このコイル３２は、好ましくは、芯材として金属線からなるばね性金属線材３２ａと、このばね性金属線材３２ａに被着させたゴム等のエラストマからなる弾性シース３２ｂとからなり、断面が円形となったコード状の部材を粗巻き螺旋形状に巻回したもので構成されている。コイル３２は拡縮筒３１の入口部近傍位置に固着されており、他端は自由状態となっている。
【００２１】
図４に示したように、拡縮筒３１に外力が作用されないときには、コイル３２は所定の内径を有する状態に保持されて、このコイル３２の内部に処置具を通過させる処置具通路３５が形成される。一方、拡縮筒３１を縮径させると、コイル３２が絞り込まれるようにして縮径され、かつ処置具導入路２３側に向けて伸長する。そして、コイル３２が最縮径状態になると、図５に示したように、弾性シース３２ｂの部位が部分的にオーバーラップすることになる。これによって、コイル３２の上下のピッチ間隔が存在しなくなり、かつ弾性体３２ｂが上下から圧縮されて、内向きに突出することになる。その結果、円周方向にも隙間がない状態になるようになり、コイル３２の内部に形成されていた処置具通路３５が閉鎖される。従って、コイル３２の線径及びピッチを適切に設定することによって、拡縮筒３１が最縮径状態となったときに、この拡縮筒３１の内部がコイル３２により密閉されることになる。
【００２２】
リング状楔３３は拡縮筒３１の内径を縮小させたり、拡大させたりするためのものであって、拡縮筒３１は口金２５に固定して設けたリング状楔３３に対して軸線方向に向けて移動可能となっている。拡縮筒３１が口金２５内に押し込まれていると、図４に示したように、処置具通路３５が形成され、処置具導入部２２の開放状態となる。この状態から、操作つまみ３４を処置具導入部２２から引き出すように操作すると、口金２５に設けたリング状楔３３が拡縮筒３１の膨出部３１ｃに乗り上げて、図５に示したように、処置具通路３５が閉鎖状態になる。
【００２３】
以上のように構成することによって、処置具を挿通させる際には、この処置具通路３５が形成され、また処置具挿通チャンネル２０を吸引用の通路の一部として構成する場合には、処置具通路３５が閉鎖され、かつ口金２５とリング状楔３３との間、リング状楔３３と拡縮筒３１との間、さらに拡縮筒３１とコイル３２との間が気密状態に保持され、処置具導入部２２の内部を確実に密閉状態にすることができる。即ち、処置具の挿通経路を確保するには、拡縮筒３１を口金２５内に押し込むように操作する。その結果、リング状楔３３の円筒形状部３３ａの内面が小径部３１ａと対面し、先端のテーパ面部３３ｂが移行部３１ｂと対面する。従って、拡縮筒３１には圧縮力が作用しないので、コイル３２にも外力が作用することがなく、処置具通路３５が形成された状態となる。ここで、図３に示したように、コイル３２の内径をＤとしたときに、この内径Ｄを処置具挿通チャンネル２０の内径ｄとほぼ同じか、それより大きい寸法としておくことによって、この内視鏡１に用いられる最大径の処置具も処置具通路３５を通過できるようになる。しかも、コイル３２の内部を開放状態とすることによって、処置具の挿通時には格別の抵抗が生じることはない。従って、軟性チューブのように、腰の弱い処置具であっても、円滑に、しかも変形させることなく挿通することができる。
【００２４】
一方、処置具挿通チャンネル２０を吸引用の通路として使用する場合には、処置具導入部２２の部位は密閉状態にしなければならない。このためには、口金２５に装着した鉗子栓３０を構成する拡縮筒３１をこの口金２５から引き上げるように変位させる。これによって、リング状楔３３のテーパ面部３３ｂは拡縮筒３１の移行部３１ｂから膨出部３１ｃに乗り上げるようになり、さらに拡縮筒３１が引き上げられると、リング状楔３３の円筒形状部３３ａが拡縮筒３１の膨出部３１ｃと当接することになって、拡縮筒３１は内方に圧縮されるようになる。その結果、拡縮筒３１の内径が縮径されることになり、これに伴ってコイル３２が縮径されながら伸長する。従って、コイル３２は絞り込まれて、このコイル３２が軸線方向において、複数個所で、つまり膨出部３１ｃを設けた領域において、部分的にオーバーラップして、上下の部位が密着してピッチ間隔がなくなり、かつ弾性体３２ｂが上下から圧縮されて、円周方向に隙間がない状態となる。そして、拡縮筒３１が圧縮されるので、リング状楔３３と拡縮筒３１との間、拡縮筒３１とコイル３２との間及びコイル３２の内径部分が密閉され、全体として処置具導入部２２が閉鎖されることになる。
【００２５】
これによって、処置具導入部２２の密閉性が高くなり、処置具挿通チャンネル２０は、挿入部３の先端に設けた処置具導出口１２を除き、完全に密閉された状態となるので、吸引操作を行う際に、この処置具導入部２２からの逆流を防止するだけでなく、負圧吸引力の低下を防止することができる。従って、処置具挿通チャンネル２０の先端における処置具導出口１２における吸引能力を高めることができる。
【００２６】
また、体腔内の圧力は大気圧より高い状態となっているので、処置具を挿通させる時にだけ処置具導入部２２を開放状態となし、それ以外では拡縮筒３１を押し込んだ閉鎖状態とするのが望ましい。そして、コイル３２にはばね状金属線材３２ａを有しているので、この閉鎖状態にある拡縮筒３１を押し込んで、開放状態としたときには、ばね状金属線材３２ａの弾性復元力によって、コイル３２は確実に拡径して、処置具を挿通させるための通路が確保される。
【００２７】
さらに、鉗子栓３０は症例毎に廃棄し、新たな鉗子栓３０を装着することになる。この鉗子栓３０のうち、拡縮筒３１と、この拡縮筒３１の内部に固定して設けたコイル３２を処置具導入部２２の口金２５から脱着して、新たな拡縮筒３１及びコイル３２を口金２５に装着する。ここで、口金２５の端部にはフランジ部２５ｄが設けられており、また拡縮筒３１の操作つまみ３４には、この口金２５のフランジ部２５ｄへの回り込み部３４ａが設けられて、この回り込み部３４ａをフランジ部２５ｄに抱持させるようにして組み付けられている。しかも、拡縮筒３１は柔軟性を有する部材で構成されている。従って、拡縮筒３１は口金２５の部位に容易に着脱できることになり、鉗子栓３０の必要な部分の交換作業を円滑に行うことができる。
【図面の簡単な説明】
【００２８】
【図１】本発明の鉗子栓が装着されている内視鏡の全体構成図である。
【図２】図１の内視鏡における挿入部の先端面を示す正面図である。
【図３】図１の内視鏡の本体操作部の要部断面図であって、処置具挿通チャンネル及び吸引通路以外を省略して示す図である。
【図４】図３の本体操作部における処置具導入部に鉗子栓を装着した状態の要部断面図であって、通路開放状態を示す図である。
【図５】図３の本体操作部における処置具導入部に鉗子栓を装着した状態の要部断面図であって、通路閉鎖状態を示す図である。
【符号の説明】
【００２９】
１  内視鏡                            ２  本体操作部
３  挿入部                            ３ｃ  先端硬質部
１２  処置具導出口                    ２０  処置具挿通チャンネル
２１  通路分岐部材                    ２２  処置具導入部
２３  処置具導入路                    ２４  吸引通路
２５  口金                            ３０  鉗子栓
３１  拡縮筒                          ３１ａ  小径部
３１ｂ  移行部                        ３１ｃ  膨出部
３２  コイル                          ３２ａ  ばね性金属線材
３２ｂ  弾性シース                    ３３  リング状楔
３３ａ  円筒形状部                    ３３ｂ  テーパ面部
３４  操作つまみ                      ３５  処置具通路
【図１】
2009183389.tif 000003
【図２】
2009183389.tif 000004
【図３】
2009183389.tif 000005
【図４】
2009183389.tif 000006
【図５】
2009183389.tif 000007